(57)【特許請求の範囲】
【請求項１】
隣接する基地局が同じ周波数で送信する無線通信システムで、基地局を同期化する方法であって、
隣接する基地局を傾聴するために、基地局において送信を停止するステップを含み、所与の基地局が隣接する基地局と同じ時間に送信を停止せず、
前記方法は、基地局を基準局と同期化するステップを含み、
前記基地局を基準局と同期化するステップが、
基準局の同期化信号を傾聴するために基地局を停止させるステップ（４）と、
基地局の同期化信号を傾聴するために基準局を停止させるステップ（７）と、
基準局で、基地局から受信した同期化信号のオフセットを計算し、該オフセットを送信するステップと、
基地局で、受信したオフセットに従って同期化を行うステップ（８）とを含む、方法。
【請求項２】
所与の基地局が、隣接する基地局と同じ時間に送信を停止しないように、基地局における送信の停止が、前記無線通信システムによって管理される請求項１に記載の方法。
【請求項３】
基地局において、送信が定期的に停止される請求項１または２に記載の方法。
【請求項４】
基地局が、送信を停止するタイミングを同報通信する請求項１から３のいずれか一項に記載の方法。
【請求項５】
基地局の停止が、ネットワークの基地局コントローラで、管理される請求項１から４のいずれか一項に記載の方法。
【請求項６】
オフセットを送信するステップが、ネットワークを通じてオフセットを送信するステップを含む請求項１から５のいずれか一項に記載の方法。
【請求項７】
基準局の同期化信号を傾聴するために基地局を停止させる第２のステップ（９）と、
基地局で、前記第２のステップで基準局から受信した同期化信号から第２のオフセットを計算するステップと、
第２のオフセットを基準局から受信したオフセットと比較するステップとをさらに含む請求項１から６のいずれか一項に記載の方法。
【請求項８】
請求項１から７のいずれか一項に記載の方法を実行する無線通信システム。
【発明の詳細な説明】
【０００１】
【発明の属する技術分野】
本発明は、無線通信の分野に関し、より詳細には、無線通信システムまたは無線通信ネットワークでの基地局の同期化に関する。
【０００２】
【従来の技術】
無線通信システムは、セルから構成されており、各セルは、ユーザ装置または移動局が通信を確立するために接続する基地局に通常対応する。様々な目的のために、それらの基地局を同期化する必要がある。例えば、ＵＭＴＳ（ユニバーサル移動電話サービス）の場合がそうであり、その場合、ＴＤＤ（時分割二重化）ネットワークは、よいパフォーマンスに到達するためにフレームレベルで基地局（すなわちＵＭＴＳ仕様ではノードＢ）の同期化を必要とする。
【０００３】
この問題は、ＴＤＭＡ（時分割多重アクセス）の場合、ＵＳ−Ａ−５５２８５９７で論じられており、この文献は、新しく追加された基地局が既存のネットワークの基地局と同期化することを示している。その新しく追加された基地局は、近くの稼動中の基地局の下りリンク信号を受信し、その基地局の対応する転送用タイムスロットに、通信フレームの中のその受信用タイムスロットを同期化する。近くの基地局と同期化するために、新しく追加された基地局は、まずその送信機を停止させ、近くの基地局を傾聴し、近くの基地局のリストを設定する。一度このリストが設定されると、基地局は、その送信機のスイッチを入れ、そのシステムで順方向チャネルと逆方向チャネルの間の一定のタイミングの関連性に基づいて、近くの基地局とのタイミングオフセットを測定する。この文献は、時間経過に伴うドリフトまたはオフセットによる変化に対応するように、同期化方法を定期的に繰り返すことも示している。しかし、稼動中の基地局を同期化する方法について、詳細に説明していない。
【０００４】
ＥＰ−Ａ−０８１７４０５は、隣接するセルの基地局が同じ周波数を持つ制御チャネルを送信するＴＤＭＡ  ＴＤＤネットワークを開示している。すなわち、この文献では、タイムスロットが、隣接するセルの基地局の制御チャネルの送信用タイムスロットと競合しない制御キャリアの受信用タイムスロットに対応するように、１つのセルの制御チャネルを送信するタイムスロットを選択するステップを示す。隣接する基地局の制御キャリアの送信用タイムスロットが、セルの制御キャリアの受信用タイムスロットを干渉しないので、このことは、セルでの移動局のすばらしい接続性を与える。この文献は、基地局の同期化を論じないで、単にセル内部の接続性を扱っている。
【０００５】
ＥＰ−Ａ−０３９８７７３は、ＴＤＭＡネットワークで、移動局および基地局の同期化の問題を論じている。すなわち、そこでは、大規模なネットワークではコストが高く信頼できないと考えられている基地局の同期化に対して教示している。この文献は、
−  隣接する基地局ｉとｊからの信号の受信の間の時間差ＴＭij
−  各基地局から移動局への送信時間ｔiおよびｔj
を測定することにより、移動局で、２つの基地局の時間差を評価するステップを示す。
【０００６】
２つの基地局の間の時間差は、その時ＴＭij＋ｔi−ｔjとして計算される。この計算は、ハンドオーバー（基地局の切り替え）をより容易にし、移動局の局所化を可能にする。
【０００７】
ＷＯ−Ａ−９４２８６４３は、ＧＳＭ形式のＴＤＭＡネットワークでの基地局の無線同期化を論じている。この文献は、セルの同期化を行うために、近くの基地局を傾聴するステップを示す。隣接する基地局が、異なる周波数を使用するので、このことはこの文献では問題ではない。
【０００８】
ＵＳ−Ａ−５５１９７５９も、ＤＥＣＴネットワークでの基地局の無線同期化を論じている。この文献は、基地局を同期化する一定の命令を定義するステップおよび基地局が同期化されなければならない時はいつでも同じ命令を使用するステップを示している。この文献は、「スレーブ」局が対応する「マスター」局に同期化すべき方法を開示していない。
【０００９】
【発明が解決しようとする課題】
本発明は、ＴＤＤモードにおいて無線通信ネットワークの基地局を同期化する問題を説明する。このＴＤＤモードでは、同じ周波数が、基地局による送信および受信のために使用される。本発明は、隣接する局による同じ周波数の使用から発生する問題に向けられている。この問題は、とりわけ、周波数再使用パターンが１つであるところにある。この場合、すべてのセルが同じ周波数を使用する。
【００１０】
本発明は、近くの基地局と同期化するために、基地局を停止させるときに発生する新しい問題にも向けられている。この解決方法が、稼動中の基地局間での同期化を維持するために適用されるとき、それは、ユーザ装置に問題を引き起こすかもしれない。すなわち、実際には、ユーザ装置が、基地局を監視しているが、基地局の停止は、予期しない問題を発生させるかもしれない。さらに、別の基地局と同期化しようとしている基地局は、とりわけ、隣接する基地局が同時に停止される場合、同期化することができないかもしれない。
【００１１】
【課題を解決するための手段】
本発明は、これらの問題に対する解決方法を提供する。より具体的には、本発明は、隣接する基地局が同じ周波数で送信する無線通信システムで、基地局を同期化する方法であって、隣接する基地局を傾聴するために、ある基地局が隣接する基地局と同じ時間に送信を停止しないように、基地局での送信を停止するステップを含む方法を提供する。
【００１２】
基地局で停止された送信が、ある基地局が隣接する基地局と同じ時間に送信を停止しないように、前記通信システムによって管理されることが望ましい。
【００１３】
本発明の１つの実施形態では、送信は、基地局で定期的に停止される。
【００１４】
本発明の別の実施形態では、基地局は、送信を停止するタイミングを同報通信する。
【００１５】
基地局の停止は、ネットワークで、好ましくは、基地局コントローラで管理される。
【００１６】
本発明のまた別の実施形態では、基地局を、基準局に同期化させる方法が、
−  基準局の同期化信号を傾聴するために、基地局を停止させるステップと、
−  基地局の同期化信号を傾聴するために、基地局を停止させるステップと、
−  基準局で、基地局から受信した同期化信号のオフセットを計算し、このオフセットを送信するステップと、
−  基地局で、受信したオフセットに従って同期化を行うステップとを含む。
【００１７】
この場合、オフセットを送信するステップは、ネットワークを通じてオフセットを送信することを含むことが望ましい。
【００１８】
別の実施形態では、本発明の方法は、さらに、
−  基準局の同期化信号を傾聴するために、基地局を停止させる第２のステップと、
−  基地局で、前記第２のステップで基準局から受信した同期化信号からの第２のオフセットを計算するステップと、
−  第２のオフセットを基準局から受信したオフセットと比較するステップとを含む。
【００１９】
第１の基地局と第２の基地局の同期化は、移動局を通じても行なわれ、その同期化は、
−  移動局で、両方の基地局からの同期化信号を傾聴し、両方の基地局からの同期化信号の受信の間の差を測定するステップと、
−  移動局を第１の基地局と同期化させ、移動局からのデータを送信するステップであって、その結果、移動局からのデータが所与のオフセットを伴って第１の基地局で受信されるステップと、
−  第２の基地局で、移動局から受信されたデータのオフセットを測定するステップとを含む。
【００２０】
本発明は、この方法を実行する無線通信システムも提供する。
【００２１】
次に、非限定的な例によって、添付の図面を参照して、本発明を実施する無線通信システムについて説明する。
【００２２】
本発明は、基地局がネットワークに追加されるときに、基地局を同期化するために、または稼動中の基地局の間の同期化を維持するために、近くの基地局を傾聴することを示す。近くの基地局を傾聴するために、本発明は、基地局の送信機を停止させるステップを含む。そのために、隣接する基地局が同じ時間に停止されないように、ネットワークの基地局の停止を管理するステップを含む。したがって、本発明は、基地局が停止されることによって、移動局に引き起こされる新しい問題に対する解決方法をもたらす。
【００２３】
本発明は、特にＵＭＴＳに当てはまり、無線通信ネットワークの形式を参照する残りの本明細書で説明する。しかし、本発明が、この好ましい実施形態に制限されず、ＴＤＤ無線通信システムの他の形式、またはより一般的には、１つの基地局が別の基地局上と同期化するために送信機を停止させなければならないように、隣接する基地局が同じ周波数を使用する送信システムに、当てはまることを理解しなければならない。
【００２４】
【発明の実施の形態】
ＵＭＴＳ  ＴＤＭＡ  ＴＤＤシステムでは、各基地局は、シグナリング目的のためにＢＣＣＨ（同報通信制御チャネル）を送信する。本ＵＭＴＳ仕様に従って、ＢＣＣＨは、実際には同期化チャネル（ＳＣＨ）および同報通信チャネル（ＢＣＨ）を備える。ＳＣＨは、すべてのフレームの１つのタイムスロットで送信され、２つの同期化用ピークからなる。ＢＣＨは、実際にはＢＣＣＨをサポートする物理チャネルである。そのために、すべてのフレームで送信される必要はない。ＢＣＨが、各マルチフレームで、所与の時間にのみ送信されることが考慮されている。
【００２５】
セル内の移動局すなわちＵＥ（ユーザ装置）は、その基地局によって送信されるＢＣＣＨを復号し、隣接するセルのＢＣＣＨの一部も復号する。したがって、これによって、移動局がハンドオーバーの準備をすることができ、ＢＣＣＨでの考えられるあいまいさを避けることができる。実際、基地局のＢＣＣＨと遠隔の基地局のＢＣＣＨとの間の考えられる混乱が隣接する基地局のＢＣＣＨを復号することによって回避され、現在の基地局が認識される。
【００２６】
図１は、基地局がネットワークに追加されるときの初期の同期化方法のフローチャートである。したがって、図１は、本発明に従って、どのように、基地局が隣接する基地局を傾聴するためにその送信を停止させ、隣接する基地局の１つと同期化することができるかを示す。
【００２７】
ステップ１では、図１のフローチャートにおける新しい基地局ＢＳnewが、初期化され、割り当てられた１つまたは複数の周波数における隣接するセルのＳＣＨを傾聴する。上述のように、ＴＤＤモードでは、これらの周波数の少なくとも１つが、新しい基地局の周波数に対応しており、新しい基地局が、隣接する基地局を傾聴するために、送信を停止させなければならない。
【００２８】
ステップ２では、割り当てられた周波数を走査した後、基地局は、他の基地局からＳＣＨを受信したかどうかを判定する。これが当てはまらない場合、本方法はステップ３に進み、これが当てはまる場合、本方法はステップ４に進む。
【００２９】
ステップ３では、新しい基地局が、ネットワークで孤立していたかどうかを検査し、ネットワークで孤立していると判定した。したがって、この場合には、基地局は、後の段階で他のＢＳが同期化するタイミングの基準を提供する。基地局は、通常モードでその動作を開始する。
【００３０】
ステップ４では、新しい基地局は、他の基地局が、新しい基地局の周りにすでに存在すると判定した。したがって、これらの基地局の少なくとも１つが同期化のために使用される。基地局は、これらの基地局の１つ、例えば最適に受信された基地局ＢＳrefのＳＣＨを傾聴することによって、最適に受信された基地局ＢＳrefに同期化する。したがって、新しい基地局は、同期化の基準Ｔnewを得る。この第１の同期化を進める１つの方法は、１９９８年１２月の「ＵＭＴＸ  ＸＸ．１３，ＵＴＲＡ  ＴＤＤ，ｐｈｙｓｉｃａｌ  ｌａｙｅｒ  ｐｒｏｃｅｄｕｒｅｓ」ｖｅｒｓｉｏｎ  ０．５．０，Ｔｄｏｃ  ＳＭＧ２  ＵＭＴＳ  Ｌ１  ６１３／９８に記載されている移動局の初期セル検索手順のように進めることである。
【００３１】
基地局は、移動局と同様の手順を適用することができる。したがって、唯一の違いは、ＢＳからＵＥの距離の２倍以上の距離であるので、基地局は、よりよい感度を必要とすることである。干渉レベルも移動局のものよりも大きく、したがって感度レベルは、ＵＥのものよりも３から５デシベルよりよいことが必要になる。この感度レベルと干渉レベルにおける差の評価は、基地局が同期化するチャネル−すなわちＵＭＴＳの例ではＳＣＨの定義に依存する。どの場合でも、ＢＳのアンテナダイバーシティの使用および潜在的により高性能な受信機のノイズ計算を考慮して、感度の改善は達成される。
【００３２】
ステップ４で達成される第１の同期化は、基準用の基地局から新しい基地局への伝搬遅延に依存している。ＵＭＴＳで提供されるＴＤＭＡ  ＴＤＤモードの場合では、同期化情報によって、新しい基地局が、隣接する基地局のフレームと同期化するフレームを定義することができる。すなわち、基準用基地局と新しい基地局の間の距離に従って、約２０μｓのタイムスロットのオフセットが得られる。ステップ６から１０に記載するように双方向の方法のおかげで、よりよい同期化が得られる。
【００３３】
より一般的には、基地局は、すでに送信している基地局との同期化を獲得する同期化手順を使用する。
【００３４】
一度、新しい基地局が、第１の同期化を得ると、本方法は、ステップ５に進む。ステップ５では、新しい基地局が、ステップ４で得られた第１の同期化情報に従ってＳＣＨおよびＢＣＨの送信を開始する。
【００３５】
ステップ６では、同期化基準ＴrefとＢＳnewからのＳＣＨの受信された時間基準Ｔnewとの間の時間差ｔ1を評価するために、基地局ＢＳnewは、ＳＣＨを傾聴するように基準用基地局ＢＳrefに要求する。これを実行するために、基地局ＢＳrefは、同じ周波数で、ほとんど同じ時間で、送信された新しい基地局ＢＳrefのＳＣＨを傾聴することができるように、ＳＣＨの送信を中断しなければならない。
【００３６】
ステップ７は、ステップ６の後、基準用基地局は、新しい局のＳＣＨを傾聴し、時間差を計算することを示す。すなわち、この計算のために基準用基地局は、新しい基地局と基準用基地局の間の伝搬時間を考慮に入れる。ステップ７で示すように、時間差ｔ1の計算は、次の式を使用する。
【００３７】
２・ｔ1＝Ｔref−Ｔrnew
ここでは、Ｔrnewは、ＳＣＨの信号が新しい基地局から受信される時間である。また、この式の係数２の理由は、図２を参照して論じる。すなわち、第１の偏りは、ＳＣＨ信号が基準用基地局から新しい基地局へ進む伝搬時間に対応する。また、第２の偏りは、ＳＣＨ信号が新しい基地局から基準用基地局へ進む伝搬時間に対応する。
【００３８】
その後、基準用基地局ＢＳrefは、計算された時間差ｔ1を新しい基地局へ送信し、本方法はステップ８へ進む。この時間差の送信は、以下にも説明する。
【００３９】
ステップ８で、新しい基地局は、ｔ1に従って時間基準Ｔnewを更新する。
【００４０】
本方法は、その後、ステップ９に進み、ここでは新しい基地局ＢＳnewは、次に送信機を停止し、次にＴnewと基準用基地局ＢＳrefのＳＣＨで受信された時間基準との間の時間差ｔ2を評価する。基準用基地局および新しい基地局の同期化が完全である場合、この差ｔ2のみが基準用基地局から新しい基地局への伝搬時間に対応し、ｔ1に等しい。
【００４１】
その後、本方法はステップ１０に進む。そして、このステップでは、新しい基地局がｔ1とｔ2の差を計算し、この差の絶対値をしきい値Δｔと比較する。差の絶対値がしきい値以下の場合、本方法はステップ１１に進む。また、そうでない場合は、本方法はステップ６に再び進み、ｔ1とｔ2の計算が再び実行される。したがって、新しい基地局の同期化は、必要とされる正確性△ｔが得られるまで続く繰り返しの方法である。
【００４２】
ステップ１１で、新しい基地局の初期の同期化が完了する。この新しい基地局は、次に通常の動作を開始する。
【００４３】
ＢＳ間の情報交換、すなわち基準用基地局から新しい基地局へのｔ1の送信および新しい基地局から基準用基地局へのｔ2の送信は、チャネルを送信するＲＡＣＨ（ランダムアクセスチャネル）およびＦＡＣＨ（ファーストアクセスチャネル）を使用する空中で、またはＵＴＲＡＮあるいは基地局コントローラ経由で転送される。エアインターフェースの時間差の送信は、ＲＡＣＨアクセススロットおよびＦＡＣＨスロット上のインターフェースの最大値を作り出すので、ＵＴＲＡＮの使用が好ましい。また、実際には上記で論じたように、基地局は、セル内の移動局よりも大きい送信機パワーを使用しなければならない。
【００４４】
別の基地局のＳＣＨを傾聴するために、上述のように各基地局は、自分のＳＣＨの送信を中断すべきである。また基地局は、他のＢＳに要求を送るときそれらが自分のＳＣＨを傾聴することができるように自分のセルからの移動局がＲＡＣＨチャネルを使用することを防ぐことが好ましい。この理由のために、ＵＴＲＡＮ経由でＢＳ間のすべてのシグナリング情報を交換することがより容易になる。その後、エアインターフェースでの唯一の残りの要求は、時間差を計算するために、他の基地局のＳＣＨを傾聴するためのＳＣＨの送信を中断することである。
【００４５】
図１の方法は、さらに図２に関連して説明する。図２は、図１の方法に従って時間基準の獲得を示す。また、それは、各基地局のための時間差、言い換えればＴＤＭＡシステムのタイムスロットに関するＳＣＨ上の同期化信号の位置を示す。
【００４６】
１５は、基準用基地局のＳＣＨを示す。また図で示したように、それは、基準用基地局が他の基地局を同期化するために使用されるので、タイムスロットで正確に同期化されている。
【００４７】
１６は、図１のフローチャートのステップ４で発生するように、新しい基地局による基準用基地局のＳＣＨの受信のタイミングを示す。したがって、上述のように新しい基地局は、基準用基地局から新しい基地局のＳＣＨの伝搬時間に対応するタイミングのオフセットｔ1を持つ基準用基地局のＳＣＨを受信する。
【００４８】
１７は、新しい基地局によってＳＣＨを基準用基地局に送信するステップを含む。したがって、基準用のタイムスロットに関するオフセットがまだｔ1である。
【００４９】
１８は、基準された基地局によるＳＣＨの受信を示す。したがって、ステップ７に関して説明しているように、オフセットのタイミングは２・ｔ1に等しい。
【００５０】
１９は、新しい基地局が、基準用基地局から受信されたｔ1の値に従って時間の基準を適用することを示す。したがって、上述のように、この値は、ＵＴＲＡＮから送信されることが好ましい。
【００５１】
２０は、図１のステップ９で示すようにｔ2の計算をするために、新しい基地局が、基地局から別のＳＣＨを受信することを示す。
【００５２】
図１および２の方法は、新しく追加された基地局が、既存の基地局とタイムスロットレベルで同期化するように、基準用基地局、また新しい基地局の同期化を保証する。したがって、これは、タイムスロットが、隣接するセルで互いに重複しないことを保証する。ＴＤＤモードでは、これによって、移動局から移動局へのまたは基地局から基地局への干渉状況を削減し、効果的な動的チャネル割当手順の導入がＴＤＤモードのＴＤＭＡ構成要素を管理することができる。
【００５３】
本発明による基地局の同期化は、干渉状況を回避し利用可能なタイムスロットを選択するために、ＴＤＤで移動局（ＤＥＣＴ  ＤＣＡアルゴリズムのような）での分散型ＤＣＡ手順を使用することを避ける。同期化されていないネットワークの性能と比較すると、本発明のネットワーク性能は、セル間のスロットの重複が削減されたために、きわめて高い。本発明が、ネットワークで、干渉を制御しない情報源を制限し、上りリンクおよび下りリンクの送信の非同期化は、無線のリソース管理機能を混乱させる多くのものを作り出す。
【００５４】
図１および図２の説明で論じたように、本発明による基地局の同期化は、各基地局が、いくつかの時点で他の基地局を傾聴することを意味している。すなわち、隣接する基地局が、同じ周波数上で送信するネットワークでは、このことは傾聴する基地局が送信を停止させることを意味する。このことは、特に、新しい基地局に隣接する基地局が停止される場合、新しい基地局の同期化に対するいくつかの問題を引き起こす。新しい基地局に隣接するすべての基地局が、同時に送信を停止させるとき、その問題はさらに難しくなる。図１および２の方法によるネットワークの初期の同期化の間、このことは、例えば２つの隣接する基地局が２つの新しく追加された基地局のために基準用の基地局として使用される場合に発生する。
【００５５】
基地局の送信を停止させることによって発生する問題を制限するために、本発明は、ある基地局が隣接する基地局と同じ時間に送信を停止しないように、ネットワークが停止を監視することを示す。ネットワークは、ある基地局が、隣接する基地局と同じ時間に送信を停止しないことを保証することが好ましい。
【００５６】
この停止の管理は、ネットワークの基地局コントローラで実行される。すなわち、各々のおよびすべての基地局の権限を許可する周波数の割当方法に類似の方法を使用することができる。
【００５７】
この問題は、新しい基地局の初期の同期化に対してのみ発生しない。したがって、実際には、一度初期の同期化が実行されると、基地局クロックが互いにずれてくるので、同期化を維持する必要がある。その維持の度合いは、ＢＳクロックの安定性および必要とされる正確性に依存している。同期化は、例えば図１のステップ６から１０の方法を隣接する基地局の間で実行することによって維持される。また、基地局の同期化に対して、このような基地局は、傾聴する基地局の送信機を停止させることを必要とする。
【００５８】
初期の基地局の同期化に関して、本発明は、隣接する基地局が送信しているときのみ、同期化を維持するために基地局が送信機を停止することができることを示す。これはまた、ネットワークで、例えばＵＴＲＡＮレベルで、基地局の停止を管理することによって実行される。
【００５９】
したがって、基地局ＢＳが、この時間差を評価するのに十分なレベルで近くの基地局ＢＳの信号を受信する場合、各基地局ＢＳが、ＵＴＲＡＮにすべてのその近くの基地局ＢＳとのＳＣＨの基準時間の差を報告することが提供される。ＵＴＲＡＮは、次にすべての基地局ＢＳ間の時間差の情報を収集することができ、グローバルな同期化を維持するために、いくつかの基地局ＢＳに所定のシフトを持つ時間基準を変更するように要求する。重複制御は、再同期化の数を減らし、近くの基地局と各基地局ＢＳとの適切な同期化を保証することを可能にする。
【００６０】
多くの解決方法が、ある基地局が近くの基地局と同じ時間に送信を停止しないことを保証する。最も簡単な解決方法は、マルチフレームレベルで、例えば７２０ｍｓで、一定パターンを使用することである。すなわち、この場合、近くのＢＳは、次々とＳＣＨを中断する。この場合、７２以下の再使用係数（ｒｅｕｓｅｆａｃｔｏｒ）を持つある種の「スロッテッド（ｓｌｏｔｔｅｄ）モードパターン」が、ＴＤＤネットワークで実行される。実際、各基地局ＢＳは、６つの近隣基地局ＢＳと同じフレーム内で、ＳＣＨ送信を中断しないことが主に要求される。マルチフレームごとの１つのＳＣＨスロットは、同期化を維持するのに十分であるべきである。すなわち、それは十分すぎるのでさえあるが、より低いペースは、シグナリング問題を発生させる。
【００６１】
別の解決方法は、各基地局が、傾聴のために自ら停止することを望む時ごとに、ネットワークから権限を要求することである。この解決方法は、より多くのシグナリングを明らかに含む。
【００６２】
本発明の１つの機能によれば、基地局は、その停止のタイミングを同報通信する。マルチフレームパターンが使用される場合では、基地局が、マルチフレームの１つのタイムスロットで停止される場合に、基地局は、停止するタイムスロットの番号を同報通信する。停止が定期的に発生しない状況でさえ、基地局は、例えば次の２つのフレームに対する停止のタイミングを同報通信する。
【００６３】
どちらの場合も、同報通信情報は、基地局の停止を予測するために、移動局によって使用される。これによって、移動局は、停止されたときに基地局を考慮に入れることがなくなり、そのとき、移動局が基地局の平均レベルを計算する。基地局の停止を予測することはまた、１つのセルから別のセルへのハンドオーバーを進めるときに、移動局を援助する。
【００６４】
同報通信情報は、また送信機を停止させることができるかできないかを決定するために、他の基地局によって使用される。
【００６５】
本発明は、また別の問題に対する解決方法をもたらす。上記で開示した同期化の計画によれば、ネットワークは、あるＢＳから別のＢＳへ同期化されるが、サブネットワークは、互いに独立して同期化され、それらの間で再同期化が必要とされるくらい近い。再同期化は、上述の同じ方法を使用して発生する。したがって、基地局が互いに同期化するのに十分近くないとき、特定の手順を使用することも可能になる。この場合、本発明は、移動局を使用することによって各ネットワークの基地局を同期化するステップを示す。
【００６６】
図３は、移動局が２つの基地局を同期化するために使用されるときのタイミングの基準の獲得を示し、一方、図４は、図３の方法を実行する移動局および２つの基地局を示す。図４で示すように、それぞれ自分の時間基準Ｔ1およびＴ2を持つ第１のおよび第２の基地局ＢＳ1およびＢＳ2は、移動局ＭＳが、両方の基地局から受信し、また両方の基地局に送信するのに十分近くに存在する。したがって、第１および第２の基地局が、そのＳＣＨを傾聴するのに十分近くないということが説明のために考えられる。
【００６７】
セル境界での移動局が十分なレベルを持つ両方のＢＳを受信する間に、例えば近くの２つのＢＳの間の経路ロスがあまりにも大きく同期化の必要性を検出できない場合、このことが発生する。これらの移動局は、異なるサブネットワークに属するＢＳからＵＴＲＡＮへＢＣＣＨの測定結果を報告し、その後、問題を検出する。しかし、この場合、無線インターフェース上のＢＳの間の直接的な同期化を実行することができないが、本発明は、中継局（リレー）として移動局を使用するステップを示す。
【００６８】
解決方法を図３に関連して説明しているが、図２に関してタイムスロットに関するオフセットのみを図に示す。２５では、第１の基地局の送信は、ＳＣＨである。これは、第１の基地局から移動局への伝搬時間を示すオフセットＴp1を持ちながら移動局によって、２６で受信される。このオフセットは、それ自体知られている方法で、タイミング進み（Ｔｉｍｉｎｇ  Ａｄｖａｎｃｅ）のために、第１の基地局によって評価される。
【００６９】
２７で、第２の基地局は、ＳＣＨを送信する。移動局は、２８で、第２の基地局から移動局への送信時間を示すＴ2に関するオフセットＴp2を持つＳＣＣＨを受信する。そしてｔDは、第１の基地局から受信されたＳＣＨと第２の基地局から受信されたＳＣＨとの間の時間オフセットである。
【００７０】
２９で、移動局は、スロット＃ｉ上のタイミング進みＴp1を持つデータを送信する。３０を見ると、タイミング進みのために、データは、スロット＃ｉで第１の基地局によって受信される。しかし、３１で示すように、第２の基地局は、遅延ｔ1を持つスロット＃ｉ上で、移動局データを受信する。
【００７１】
この場合、Ｔp2および△ｔが、次に２つの未知の値を持つ２つの等式を解くことによって計算される。
【００７２】
△Ｔ＝Ｔp2−ｔD−Ｔp1
△Ｔ＝ｔ1−Ｔp2＋Ｔp1
言い換えれば、移動局は、両方の基地局からの同期信号の受信の間の差を測定する。その後、移動局は、第１の基地局と同期化され、第２の基地局が次に移動局から受信されたデータのオフセットを測定する。
【００７３】
基地局を同期化するためのこの方法は、移動局を通じて基地局の停止の管理がされていない状況でも実行される。それは、サブネットワークを同期化するためのまたはネットワークを拡張するための簡単な解決方法を提供する。
【００７４】
上記で開示した好ましい実施形態が変化することは、当業者にとっては明らかであろう。特に、本発明は、ＴＤＤネットワークを参照して論じた。そのために、本発明は、隣接する基地局、同じ周波数で送信する他の形式のネットワークにも、例えば１つの周波数の再利用パターンを持つＦＤＤネットワークに対しても、当てはまる。本発明は、また、ＵＭＴＳを参照して説明した。そのために、既存のＴＤＭＡ  ＴＤＤネットワークにも当てはまる。
【図面の簡単な説明】
【図１】基地局がネットワークへ追加される際の初期の同調化方法のフローチャートを示す図である。
【図２】タイミングの基準の獲得を示す図である。
【図３】移動局が２つの基地局を同期化するために使用される際のタイミングの基準の獲得を示す図である。
【図４】図３の方法を実行する移動局および２つの基地局を示す図である。
【符号の説明】
ＳＣＨ  同期化チャネル
ＢＳref  基準用基地局
ＢＳnew  新しい基地局
ＢＳ1、ＢＳ2  基地局
ＢＣＨ  同報通信チャネル
Ｄａｔａ  ＭＳ  データＭＳ
【図１】
0004786009.tif 000002
【図２】
0004786009.tif 000003
【図３】
0004786009.tif 000004
【図４】
0004786009.tif 000005